(57)【要約】      （修正有）【課題】複数の衛生用紙を収容したカートンの中から所定枚数の衛生用紙の束を個別に取り出しやすくする。【解決手段】積層された複数の衛生用紙１０を収容したカートンであって，カートン内には，折り畳まれたある衛生用紙１０ｎの間に，折り畳まれた他の衛生用紙１０ｎ＋１の一部が挟み込まれ，当該他の衛生用紙１０ｎ＋１の間に，折り畳まれたさらに別の衛生用紙１０ｎ＋２の一部が挟み込まれるという繰り返し構造によって，衛生用紙束３０が形成されており，この衛生用紙束３０はカートン内に複数設けられ，ある衛生用紙束３０ｎの最上部に位置する衛生用紙１０Ｔの間には，これの上方に重ねられた他の衛生用紙束３０ｎ＋１の最下部に位置する衛生用紙１０Ｂの一部が挟み込まれていない。【選択図】図２
2018034819.tif 000002
【特許請求の範囲】
【請求項１】
積層された複数の衛生用紙（１０）を収容したカートン（２０）であって，
前記カートン（２０）内には，折り畳まれたある衛生用紙（１０ｎ）の間に，折り畳まれた他の衛生用紙（１０ｎ＋１）の一部が挟み込まれ，当該他の衛生用紙（１０ｎ＋１）の間に，折り畳まれたさらに別の衛生用紙（１０ｎ＋２）の一部が挟み込まれる繰り返し構造によって，複数の衛生用紙（１０）が積層された衛生用紙束（３０）が収容されており，
前記衛生用紙束（３０）は，前記カートン（２０）内に複数設けられており，
ある衛生用紙束（３０ｎ）の最上部に位置する衛生用紙（１０Ｔ）の間には，これの上方に重ねられた他の衛生用紙束（３０ｎ＋１）の最下部に位置する衛生用紙（１０Ｂ）の一部が挟み込まれていない
カートン。
【請求項２】
前記ある衛生用紙束（３０ｎ）は，少なくともその最上部又は最下部に位置する衛生用紙（１０Ｔ，１０Ｂ）とその他の衛生用紙とで折り方が異なる
請求項１に記載のカートン。
【請求項３】
前記ある衛生用紙束（３０ｎ）は，少なくともその最上部又は最下部に位置する衛生用紙（１０Ｔ，１０Ｂ）がその他の衛生用紙と比べて折り返された回数が多い
請求項１に記載のカートン。
【請求項４】
前記ある衛生用紙束（３０ｎ）は，その最上部に位置する衛生用紙（１０Ｔ）が３つ折りに折り畳まれ，その他の衛生用紙が２つ折りに折り畳まれている
請求項１に記載のカートン。
【請求項５】
少なくとも前記ある衛生用紙束（３０ｎ）の最上部又は最下部に位置する衛生用紙（１０Ｔ，１０Ｂ）は，その直下又は直上に位置する衛生用紙の折返線（１１）よりも外側に向かって突出した突出部（１６）を有する
請求項１から請求項４のいずれかに記載のカートン。
【請求項６】
前記ある衛生用紙束（３０ｎ）は，少なくともその最上部又は最下部に位置する衛生用紙（１０Ｔ，１０Ｂ）の一部又は全部の色がその他の衛生用紙の色と異なる
請求項１から請求項５のいずれかに記載のカートン。
【発明の詳細な説明】
【技術分野】
【０００１】
本発明は，衛生用紙束を収容したカートンに関する。具体的に説明すると，本発明は，相互に分離しやすい複数の衛生用紙束を収容したカートンに関するものである。
【背景技術】
【０００２】
従来から，衛生用紙束を収容したカートンが知られている。一般的に，カートン内に収容される衛生用紙束は，２つ折り又は３つ折りに折り畳んだある衛生用紙の間に，同様に折り畳んだ他の衛生用紙の一部を挟み込み，これを繰り返すことで複数の衛生用紙が上下に積層した構造となっている。このように，ある衛生用紙の間に他の衛生用紙の一部を挟み込んでおくことで，カートンの天面に形成された取出口から一組の衛生用紙を取り出したときに，その直下の衛生用紙が追従して取出口から飛び出すようになる。これにより，カートン内の衛生用紙を連続して取り出すことが容易になる。
【０００３】
また，例えば特許文献１には，使用開始時においても最上層のプライをうまく引き出すことができ，そのプライが破断され難い衛生用紙束の積層構造が開示されている。具体的に説明すると，特許文献１において，複数組の衛生用紙のプライが折り重ねられた衛生用紙束は，一のプライが折り返され，その折り返されたプライの間に他のプライが挟み込まれ，その他のプライが更に折り返されるという繰り返し構造を有する。その上で，特許文献１の衛生用紙束は，最上層のプライによってその直下に位置するプライを挟み込んだ後，更にもう一度折り返されて，この直下に位置するプライの上面側に折り畳み部を形成している。
【先行技術文献】
【特許文献】
【０００４】
【特許文献１】特開２００８−１９５４２０号公報
【発明の概要】
【発明が解決しようとする課題】
【０００５】
ところで，近年では，衛生用紙束をカートンから取り出し，その内の一部を別の包装袋や包装箱に移し替えて小分けにして持ち歩くというユーザが増えてきている。例えば，カートン内に２００組の衛生用紙が収容されている場合に，その内の半分の１００組や４分の１の５０組などを個別に取り出して別の包装袋などに移し替えることで，よりコンパクトなサイズにして持ち運ぶことが可能となる。
【０００６】
ここで，従来の衛生用紙束は，すべての衛生用紙を連続的にカートンから取り出しやすいように，ある衛生用紙の間に他の衛生用紙を挟みこむという上記した繰り返し構造をなしており，すべての衛生用紙が繋がったものとなっていた。しかしながら，上記のように，カートンを開封してその中に収容されている衛生用紙の一部を別の包装袋等に移し替えるという作業を考えた場合に，すべての衛生用紙が繋がっていると，所望の枚数の衛生用紙を小分けにくいという問題があった。つまり，従来の衛生用紙束の積層構造は，そのうちの一部を分離するという用途がまったく想定されていないものであった。
【０００７】
そこで，本発明は，複数の衛生用紙を収容したカートンにおいて，そこに収容された複数の衛生用紙の中から，所定枚数の衛生用紙の束を個別に取り出しやすくすることを目的とする。
【課題を解決するための手段】
【０００８】
本発明の発明者は，上記の従来の問題の解決手段について鋭意検討した結果，カートンに収容される複数の衛生用紙を２以上の衛生用紙束に予め分けておき，衛生用紙束同士をあえて繋げないようにするという知見を得た。このように，衛生用紙束同士を予め分離しておくことで，カートンの中から所定枚数の衛生用紙を小分けにして取り出しやすくなる。そして，本発明者は，上記知見に基づけば従来技術の課題を解決できることに想到し，本発明を完成させた。具体的に説明すると，本発明は以下の構成を有する。
【０００９】
本発明は，積層された複数の衛生用紙１０を収容したカートン２０に関する。カートン２０内には，複数の折り畳まれた衛生用紙１０が繰り返し構造をなして収容されている。すなわち，カートン２０内の複数の衛生用紙１０は，折り畳まれたある衛生用紙１０ｎの間に，折り畳まれた他の衛生用紙１０ｎ＋１の一部が挟み込まれ，当該他の衛生用紙１０ｎ＋１の間に，折り畳まれたさらに別の衛生用紙１０ｎ＋２の一部が挟み込まれるという繰り返し構造をなしている。そして，このような繰り返し構造によって，複数の衛生用紙１０が積層された衛生用紙束３０が形成されている。
ここで，本発明において，衛生用紙束３０は，カートン２０内に複数設けられている。衛生用紙束３０の数は，２つであってもよいし，３つ以上であってもよい。そして，ある衛生用紙束３０ｎの最上部に位置する衛生用紙１０Ｔの間には，これの上方に重ねられた他の衛生用紙束３０ｎ＋１の最下部に位置する衛生用紙１０Ｂの一部が挟み込まれていない。つまり，ある衛生用紙束３０ｎと他の衛生用紙束３０ｎ＋１はあえて分離された状態でカートン２０内に収容されている。
【００１０】
上記構成のように，衛生用紙１０の繰り返し構造が不連続となる部分を設け，複数の衛生用紙束３０を相互に分離した状態でカートン２０に収容しておく。これにより，カートン２０から衛生用紙束３０を個別に取り出しやすくなる。その結果，例えばカートン内の衛生用紙を取り出して小分けにし，別の包装袋や包装箱に移し替えてコンパクトなサイズにして持ち運ぶことが容易になる。
【００１１】
本発明において，ある衛生用紙束３０ｎは，少なくとも，その最上部又は最下部に位置する衛生用紙１０Ｔ，１０Ｂとその他の衛生用紙とで折り方が異なることが好ましい。このように，最上部又は最下部に位置する衛生用紙１０Ｔとその他の衛生用紙とで折り方を変えることで，衛生用紙が不連続となっている部分を見つけやすくなる。これにより，上下に積層されている衛生用紙束３０を分離しやすくなる。なお，最上部に位置する衛生用紙１０Ｔと最下部に位置する衛生用紙１０Ｂの両方が，それら以外の衛生用紙と折り方が異なっていてもよい。
【００１２】
本発明において，ある衛生用紙束３０ｎは，少なくともその最上部又は最下部に位置する衛生用紙１０Ｔ，１０Ｂがその他の衛生用紙と比べて折り返された回数が多いことが好ましい。このように，最上部に位置する衛生用紙１０Ｔの折り返し回数を増やすことで，ある衛生用紙束３０ｎとの直上の衛生用紙束３０ｎ＋１との間に隙間が生じやすくなる。これにより，上下に積層されている衛生用紙束３０を分離しやすくなる。なお，最上部に位置する衛生用紙１０Ｔと最下部に位置する衛生用紙１０Ｂの両方が，それら以外の衛生用紙よりも折り返された回数が多くなっていてもよい。
【００１３】
本発明において，ある衛生用紙束３０ｎは，その最上部に位置する衛生用紙１０Ｔが３つ折りに折り畳まれ，その他の衛生用紙が２つ折りに折り畳まれていることが好ましい。このように，最上部に位置する衛生用紙１０Ｔを３つ折りにしておくことで，例えばカートンの取出口から衛生用紙を引き抜くという普通の使い方をする場合であっても，衛生用紙束３０の最上部に位置する衛生用紙を引き抜きやすくなる。つまり，本発明では，ある衛生用紙束とその直下の衛生用紙束が繋がっていないため，衛生用紙を連続的に引き抜くことはできないが，衛生用紙束の最上部の衛生用紙を３つ折りにしておくことで，この衛生用紙を取出口から引き抜きやすくなる。
【００１４】
本発明において，少なくともある衛生用紙束３０ｎの最上部又は最下部に位置する衛生用紙１０Ｔ，１０Ｂは，その直下又は直上に位置する衛生用紙の折返線１１よりも外側に向かって突出した突出部１６を有することが好ましい。突出部１６はカートン２０に収容されることでしわになったり折り曲げられたりしていてもよい。突出部１６の突出部長さは，カートン２０より取出した衛生用紙束３０をしわおよび折り曲がりを平らに伸ばしたときに衛生用紙の折返線１１より１ｍｍから２０ｍｍであることが好ましい。このように，ある衛生用紙束３０ｎの最上部又は最下部に位置する衛生用紙１０Ｔ，１０Ｂが幅方向の外側に飛び出していることにより，衛生用紙束を分離可能な位置をユーザに対して明確に提示することができる。なお，突出部１６は，衛生用紙束３０ｎの最下部に位置する衛生用紙１０Ｂと衛生用紙束３０ｎの最下部に位置する衛生用紙１０Ｂのいずれか一方にのみ設けることもできるし両方に設けることもできる。
【００１５】
本発明において，ある衛生用紙束３０ｎは，少なくともその最上部又は最下部に位置する衛生用紙１０Ｔ，１０Ｂの一部又は全部の色がその他の衛生用紙の色と異なることが好ましい。ここで，「色が異なる」とは，明るさ，色相，又は彩度のうち，少なくともいずれか一つが異なることを意味する。また，単に色相が異なる色ばかりでなく，同じ色相であっても，彩度又は明度が，意図的に異なるものとされた色は，「異なる色」とする。このように，最上部に位置する衛生用紙１０Ｔの色を変えることで，衛生用紙束の分かれ目を目立たせることができる。なお，最上部に位置する衛生用紙１０Ｔと最下部に位置する衛生用紙１０Ｂの両方が，それら以外の衛生用紙と色が異なっていてもよい。
【発明の効果】
【００１６】
本発明によれば，カートンに収容された複数の衛生用紙の中から，所定枚数の衛生用紙の束を個別に取り出しやすくなから箱に移し替えてコンパクトなサイズにして持ち運ぶことが容易になる。
【図面の簡単な説明】
【００１７】
【図１】図１は，本発明に係るカートンを示した斜視図であり，カートンから衛生用紙を取り出した状態の例を示している。
【図２】図２は，衛生用紙の積層構造の一例を示した断面図である。
【図３】図３は，衛生用紙の積層構造の一例を示した断面図である。
【図４】図４は，衛生用紙の積層構造の一例を示した断面図である。
【図５】図５は，衛生用紙の積層構造の一例を示した断面図である。
【図６】図６は，衛生用紙の積層構造の一例を示した断面図である。
【図７】図７は，衛生用紙の積層構造の一例を示した断面図である。
【発明を実施するための形態】
【００１８】
以下，図面を用いて本発明を実施するための形態について説明する。本発明は，以下に説明する形態に限定されるものではなく，以下の形態から当業者が自明な範囲で適宜変更したものも含む。
【００１９】
図１は，本発明に係るカートン２０を示した外観斜視図である。本来であれば，カートン２０の内部には，複数の衛生用紙１０が衛生用紙束３０を形成した状態で収容されている。ただし，図１では，説明の便宜上，カートン２０を開封して，このカートン２０から衛生用紙束３０を取り出した様子を示している。
【００２０】
図１に示されるように，複数の衛生用紙１０は，折り畳まれた状態で上下方向に積層されている。衛生用紙１０の折り方は特に限定されないが，断面Ｖ字状の２つ折り又は断面Ｚ字状の３つ折りとすることが一般的である。複数の衛生用紙１０は，折り畳まれた状態の衛生用紙の間に，折り畳まれた状態の他の衛生用紙の一部を挟み込むという繰り返し構造によって，衛生用紙束３０を形成している。このように，衛生用紙束３０とは，複数の衛生用紙１０が相互に繋がった状態のものを意味する。本発明において，この衛生用紙束３０は複数存在する。図１に示した例では，衛生用紙束３０が３つ形成されている。そして，本発明では，カートン２０の内部に，複数の衛生用紙束３０が収容される。
【００２１】
また，衛生用紙１０の例は，ティシュペーパーである。衛生用紙１０は，複数のプライを重ね合わせて一組の衛生用紙１０となっていてもよい。例えば，一組の衛生用紙１０は，２プライ又は３プライとすることができるし，４プライ以上とすることも可能である。また，１つのカートン２０内に収容する衛生用紙１０の組数は，例えば１４０組〜２２０組の範囲で適宜調整することができる。ただし，衛生用紙１０の組数はこれに限定されるものではない。
【００２２】
カートン２０は，例えばティシュペーパーを収容する用途で一般的に使用されているものを採用することができる。図１に示されるように，カートン２０は，天面２１と，これに対面する底面２２と，天面２１と底面２２を繋ぐ４つの側面２３〜２６から構成された直方体形状の包装箱である。４つの側面は，前側面２３，後側面２４，左側面２５，及び右側面２６を有する。天面２１，底面２２，前側面２３，及び後側面２４は，折り目を介して一連に繋がっている。他方で，左側面２５と右側面２６は，前側面２３及び後側面２４に折り目を介して連接された一対の内フラップ２５ａと，天面２１及び底面２２に折り目を介して連接され内フラップ２５ａの外面側に重ねられる一対の外フラップ２５ｂとから構成されている。このため，左側面２５と右側面２６を形成する内フラップ２５ａと外フラップ２５ｂとを開封することで，図１に示されるように，カートン２０内に収容された衛生用紙束３０を外部に取り出すことができる。また，天面２１には，取出口２７が設けられている。このため，カートン２０内に衛生用紙束３０が収容されている状態において，カートン２０の天面２１に設けられた取出口２７を通じて，カートン２０内の衛生用紙１０を一組ずつ取り出すことができる。なお，カートン２０の材料としては，厚紙やプラスチックフィルムを用いることができる。
【００２３】
続いて，図２を参照して，カートン２０の内部に収容される衛生用紙の積層構造について説明する。図２は，カートン２０内に収容された折り畳まれた状態の衛生用紙１０の長手方向中央の縦断面図である。図２に示した例において，第１の衛生用紙１０ｎは，１つの折返線１１ｎにおいて，断面Ｖ字状の２つ折りにされている。これにより，第１の衛生用紙１０ｎは，上層１３ｎと下層１５ｎの２層構造となる。また，第１の衛生用紙１０ｎの直上に位置する第２の衛生用紙１０ｎ＋１も，１つの折返線１１ｎ＋１において断面Ｖ字状の２つ折りにされており，上層１３ｎ＋１と下層１５ｎ＋１から構成されている。そして，第１の衛生用紙１０ｎの上層１３ｎと下層１５ｎの間には，第２の衛生用紙１０ｎ＋１の一部が挟み込まれている。つまり，図２の例では，第１の衛生用紙１０ｎの上層１３ｎと下層１５ｎの間に，第２の衛生用紙１０ｎ＋１の下層１５ｎ＋１の一部が挟み込まれている。さらに，第２の衛生用紙１０ｎ＋１の直上に位置する第３の衛生用紙１０ｎ＋２も，１つの折返線１１ｎ＋２において断面Ｖ字状の２つ折りにされており，上層１３ｎ＋２と下層１５ｎ＋２から構成されている。そして，第２の衛生用紙１０ｎ＋１の上層１３ｎ＋１と下層１５ｎ＋１の間に，第３の衛生用紙１０ｎ＋２の下層１５ｎ＋２が挟み込まれている。このように，折り返した衛生用紙１０の間に他の衛生用紙１０の一部を挟み込むという繰り返し構造が所定組数分繰り返されることで，衛生用紙１０が上下に積み重ねられる。このようにして複数の衛生用紙１０が上下に繋がることで，衛生用紙束３０が形成される。
【００２４】
衛生用紙束３０は，各衛生用紙１０の折り返しの内向面同士が部分的に当接するようになる。例えば，第１の衛生用紙１０ｎの上層１３ｎの内向面と，第２の衛生用紙１０ｎ＋１の下層１５ｎ＋１の内向面とが互いに接触する。同様に，第２の衛生用紙１０ｎ＋１の上層１３ｎ＋１の内向面と，第３の衛生用紙１０ｎ＋２の下層１５ｎ＋２の内向面とが互いに接触する。このように，内向面同士を接触させて衛生用紙を積み重ねておくことで，ある衛生用紙を引き出したときに，内向面に生じる摩擦力によって，これに続く衛生用紙が連続的に引き出されるようになる。このため，複数の衛生用紙１０を衛生用紙束３０としてまとめた上で，この衛生用紙束３０をカートン２０内に収容しておくことで，カートン２０の取出口２７から連続的に衛生用紙１０を引き出すことが可能となる。
【００２５】
図２に示されるように，本発明においては，上記のような繰り返し構造を持つ衛生用紙束３０が，複数に分かれてカートン内に収容されている。図２では，第１の衛生用紙束３０ｎと，この直上に配置された第２の衛生用紙束３０ｎ＋１とを図示している。この例では，第２の衛生用紙束３０ｎ＋１がカートン内で最上部に位置する衛生用紙束である。なお，第１の衛生用紙束３０ｎよりも更に下部に，別の衛生用紙束が配置されていてもよい。
【００２６】
図２に示されるように，本発明に係るカートンの内部においては，第１の衛生用紙束３０ｎの最上部に位置する衛生用紙１０Ｔの間に，これの上方に重ねられた第２の衛生用紙束３０ｎ＋１の最下部に位置する衛生用紙１０Ｂの一部が挟み込まれていない。具体的には，第１の衛生用紙束３０ｎの衛生用紙１０Ｔの外向面と，第２の衛生用紙束３０ｎ＋１の衛生用紙１０Ｂの外向面とが，互いに接触した状態で積み重ねられている。このため，第１の衛生用紙束３０ｎの衛生用紙１０Ｔと第２の衛生用紙束３０ｎ＋１の衛生用紙１０Ｂとは，繋がっておらず，不連続となる。このように，本発明では，ある衛生用紙束３０とこれの上に配置された他の衛生用紙束３０とをあえて不連続とする。これにより，例えば，図１に示したように，カートン２０の左側面２５及び／又は右側面２６を開封し，その内部に収容された複数の衛生用紙束３０を取り出したときに，各衛生用紙束３０が分離しやすくなる。このため，カートン２０内の衛生用紙を小分けにして別の包装袋や包装箱に移し替える作業が，より簡便なものとなる。例えば，図１では，カートン２０内の衛生用紙が，３つの衛生用紙束３０に分かれている。このため，衛生用紙束３０ごとに別の包装袋等に移し替えて，コンパクトに持ち運ぶこともできる。
【００２７】
なお，図２に示されるように，カートン内の最上部に位置する第２の衛生用紙束３０ｎ＋１において，その最上部に位置する衛生用紙１０Ｔは，他の衛生用紙とは異なり，断面Ｚ字状の３つ折りとされている。具体的には，第２の衛生用紙束３０ｎ＋１の衛生用紙１０Ｔは，第１の折返線１１と第２の折返線１２において折り返され，上層１３，中層１４，下層１５に区分されている。衛生用紙１０Ｔの下層１５は，その直下に位置する衛生用紙の間に挟み込まれる。他方で，衛生用紙１０Ｔは，その中層１４と下層１５とによって，その直下に位置する衛生用紙の上層を挟み込む。さらに，衛生用紙１０Ｔの上層１３は，その中層１４の上に重なる。このように，カートン内の最上部に位置する第２の衛生用紙束３０ｎ＋１のうち，さらにその最上部に位置する衛生用紙１０Ｔを断面Ｚ字状に折り畳んでおくことで，カートン内の衛生用紙を最初に使用するときに，カートンの取出口から衛生用紙１０Ｔを引き出しやすくなるというメリットがある。
【００２８】
図３は，図２に示した衛生用紙の積層構造の変形例を示している。図２に示した例では，カートン内の最上部に位置する第２の衛生用紙束３０ｎ＋１についてのみ，その最上部に位置する衛生用紙１０Ｔを断面Ｚ字状の３つ折りとしていた。これに対して，図３の例では，図２に示した例に加えて，さらに，第２の衛生用紙束３０ｎ＋１の直下に位置する第１の衛生用紙束３０ｎについても，その最上部に位置する衛生用紙１０Ｔを断面Ｚ字状の３つ折りとしている。具体的には，第１の衛生用紙束３０ｎの衛生用紙１０Ｔは，第１の折返線１１と第２の折返線１２において折り返され，上層１３，中層１４，下層１５に区分されている。衛生用紙１０Ｔの下層１５は，その直下に位置する衛生用紙の間に挟み込まれる。他方で，衛生用紙１０Ｔは，その中層１４と下層１５とによって，その直下に位置する衛生用紙の上層を挟み込む。さらに，衛生用紙１０Ｔの上層１３は，その中層１４の上に重なっている。このように，衛生用紙１０Ｔを３つ折りにする場合において，上層１３を第２の折返線１２において外向きに折り返すこととしてもよい。このように，第１の衛生用紙束３０ｎについても，その最上部の衛生用紙１０Ｔを３つ折りとしておくことで，第１の衛生用紙束３０ｎと第２の衛生用紙束３０ｎ＋１の区切れを，ユーザが把握しやすくなる。また，第１の衛生用紙束３０ｎの衛生用紙１０Ｔが３つ折りとなっていることで，第１の衛生用紙束３０ｎと第２の衛生用紙束３０ｎ＋１の間に隙間が生じやすくなる。これにより，カートンから取り出した衛生用紙束３０を分離する作業が，さらに簡便になる。また，カートン内の衛生用紙を取出口から連続的に引き出すという通常の使い方をする場合，第２の衛生用紙束３０ｎ＋１を使いきった後には，第１の衛生用紙束３０ｎがカートン内で最上部に位置することとなる。このとき，第１の衛生用紙束３０ｎの最上部に位置する衛生用紙１０Ｔが３つ折りとなっていることで，この衛生用紙１０Ｔをカートンの取出口から引き出しやすくなる。なお，図示は省略するが，例えば第１の衛生用紙束３０ｎと最上部と最下部の衛生用紙１０Ｔ，１０Ｂの両方を断面Ｚ字状の３つ折りとすることも可能である。
【００２９】
図４は，図３に示した衛生用紙の積層構造の変形例を示している。図４に示した例では，図３の例と同様に，第１の衛生用紙束３０ｎについても，その最上部に位置する衛生用紙１０Ｔが３つ折りとされている。これに加えて，図４に示した例では，第１の衛生用紙束３０ｎの最上部に位置する衛生用紙１０Ｔが，幅方向の外側に突出するように配置されている。具体的に説明すると，第１の衛生用紙束３０ｎの最上部に位置する衛生用紙１０Ｔは，その直下に位置する衛生用紙１０Ｔ−２の折返線１１よりも外側に向かって突出した突出部１６を有する。つまり，図４に示した点線よりも外側が，衛生用紙１０Ｔの突出部１６となる。突出部１６の長さは，１ｍｍ〜１０ｍｍ程度とすればよい。このように，第１の衛生用紙束３０ｎの衛生用紙１０Ｔに突出部１６を設けておくことで，この突出部１６がいわば栞の役割を果たす。このため，ユーザは，カートンから複数の衛生用紙束３０を取り出したときに，各衛生用紙束３０の同士の区切れを容易に発見することができる。
【００３０】
図５は，図４に示した衛生用紙の積層構造の変形例を示している。図５に示した例は，第１の衛生用紙束３０ｎの最上部に位置する衛生用紙１０Ｔの折り方が，図４の例とは異なる。つまり，図５の例において，第１の衛生用紙束３０ｎの最上部に位置する衛生用紙１０Ｔは，その上層１３が，第２の折返線１２において，中層１４と下層１５の間に入り込む方向に折り返されている（なお実際に上層１３が中層１４と下層１５に挟み込まれている必要はない）。このように，衛生用紙１０Ｔを３つ折りにする場合において，上層１３を第２の折返線１２において内向きに折り返すこととしてもよい。
【００３１】
図６は，図４に示した衛生用紙の積層構造の別の変形例を示している。図６に示した例は，第２の衛生用紙束３０ｎ＋１の最下部に位置する衛生用紙１０Ｂにも突出部１６が形成されている。具体的に説明すると，第２の衛生用紙束３０ｎ＋１の最下部に位置する衛生用紙１０Ｂは，その直上に位置する衛生用紙１０Ｂ＋２の折返線１１よりも外側に向かって突出した突出部１６を有する。つまり，図６に示した点線よりも外側が，衛生用紙１０Ｂの突出部１６となる。図６に示されたように，第１の衛生用紙束３０ｎの最上部に位置する衛生用紙１０Ｔに突出部１６を形成するとともに，第２の衛生用紙束３０ｎ＋１の最下部に位置する衛生用紙１０Ｂにも突出部１６を形成することもできる。なお，図示は省略するが，例えば第１の衛生用紙束３０ｎと最上部と最下部の衛生用紙１０Ｔ，１０Ｂの両方に突出部１６を形成することも可能である。
【００３２】
また，各衛生用紙束３０の区切れを発見しやすくするために，第１の衛生用紙束３０ｎの最上部に位置する衛生用紙１０Ｔの色を，部分的に又は全体的に，第１の衛生用紙束３０を構成する他の衛生用紙と異ならせることもできる。例えば，衛生用紙（ティシュペーパー）は，通常白色（黄色みを帯びた白色を含む）である。このため，ここにいう白色と異ならせるために，第１の衛生用紙束３０ｎの最上部に位置する衛生用紙１０Ｔの色を，全体的若しくは部分的に赤色，青色，又は緑色等とすればよい。また，衛生用紙１０Ｔに白色以外の色で線や点を描画することもできる。例えば，図２に示した例を考えると，第１の衛生用紙束３０ｎの衛生用紙１０Ｔの上層１３のみを着色すればよい。また，図３及び図４に示した例を考えると，第１の衛生用紙束３０ｎの衛生用紙１０Ｔの上層１３及び／又は中層１４のみを着色すればよい。また，図４に示した例の場合，例えば第１の衛生用紙束３０ｎの衛生用紙１０Ｔの突出部１６のみを着色すればよい。
【００３３】
図７は，衛生用紙の積層構造の他の例を示している。図７に示した例は，図２に示した例と異なり，すべての衛生用紙が断面Ｚ字状の３つ折りに折り畳まれている。具体的に説明すると，図７に示した例において，第１の衛生用紙１０ｎは，第１の折返線１１ｎ及び第２の折返線１２ｎで折り返されて，断面Ｚ字状の３つ折りにされている。これにより，第１の衛生用紙１０ｎは，上層１３ｎと，中層１４ｎと，下層１５ｎの３層構造となる。そして，第１の衛生用紙１０ｎの上層１３ｎと中層１４ｎの間に，この直上に位置する第２の衛生用紙１０ｎ＋１の一部を挟み込む。このとき，第２の衛生用紙１０ｎ＋１も断面Ｚ字状の３つ折りにされており，上層１３ｎ＋１と，中層１４ｎ＋１と，下層１５ｎ＋１から構成されている。この例では，第１の衛生用紙１０ｎの上層１３ｎと中層１４ｎの間に，第２の衛生用紙１０ｎ＋１の下層１５ｎ＋１の一部が挟み込まれる。さらに，第３の衛生用紙１０ｎ＋２も断面Ｚ字状の３つ折りにされており，上層１３ｎ＋２と，中層１４ｎ＋２と，下層１５ｎ＋２から構成されている。そして，第２の衛生用紙１０ｎ＋１の上層１３ｎ＋１と中層１４ｎ＋１の間に，第３の衛生用紙１０ｎ＋２の下層１５ｎ＋２が挟み込まれている。このように，折り返した衛生用紙１０の間に他の衛生用紙１０の一部を挟み込むという繰り返し構造が所定組数分繰り返されることで，衛生用紙１０が上下に積み重ねられる。このようにして複数の衛生用紙１０が上下に繋がることで，衛生用紙束３０が形成される。
【００３４】
衛生用紙束３０では，各衛生用紙１０の折り返しの内向面同士が部分的に当接するようになる。例えば，第１の衛生用紙１０ｎの上層１３ｎの内向面と，第２の衛生用紙１０ｎ＋１の下層１５ｎ＋１の内向面とが互いに接触する。同様に，第２の衛生用紙１０ｎ＋１の上層１３ｎ＋１の内向面と，第３の衛生用紙１０ｎ＋２の下層１５ｎ＋２の内向面とが互いに接触する。このように，内向面同士を接触させて衛生用紙を積み重ねておくことで，ある衛生用紙を引き出したときに，内向面に生じる摩擦力によって，これに続く衛生用紙が連続的に引き出されるようになる。
【００３５】
図７に示された例においても，上記のような繰り返し構造を持つ衛生用紙束３０が，複数に分かれてカートン内に収容されている。図７では，第１の衛生用紙束３０ｎと，この直上に配置された第２の衛生用紙束３０ｎ＋１を図示している。図７に示されるように，本発明に係るカートンの内部においては，第１の衛生用紙束３０ｎの最上部に位置する衛生用紙１０Ｔの間に，これの上方に重ねられた第２の衛生用紙束３０ｎ＋１の最下部に位置する衛生用紙１０Ｂの一部が挟み込まれていない。具体的には，第１の衛生用紙束３０ｎの衛生用紙１０Ｔの外向面と，第２の衛生用紙束３０ｎ＋１の衛生用紙１０Ｂの外向面とが，互いに接触した状態で積み重ねられている。このため，第１の衛生用紙束３０ｎの衛生用紙１０Ｔと第２の衛生用紙束３０ｎ＋１の衛生用紙１０Ｂとは，繋がっておらず，不連続となる。従って，図７に示した衛生用紙の積層構造においても，本発明の目的を達成できる。
【００３６】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００３７】
本発明は，衛生用紙束を収容したカートンに関する。従って，本発明は，ティシュペーパーなどの衛生用紙の製造業において好適に利用しうる。
【符号の説明】
【００３８】
１０…衛生用紙            １１…折返線（第１）
１２…折返線（第２）      １３…上層
１４…中層                １５…下層
１６…突出部              ２０…カートン
２１…天面                ２２…底面
２３…前側面              ２４…後側面
２５…左側面              ２５ａ…内フラップ
２５ｂ…外フラップ        ２６…右側面
２７…取出口              ３０…衛生用紙束
【図１】
2018034819.tif 000003
【図２】
2018034819.tif 000004
【図３】
2018034819.tif 000005
【図４】
2018034819.tif 000006
【図５】
2018034819.tif 000007
【図６】
2018034819.tif 000008
【図７】
2018034819.tif 000009